(57)【要約】専用の制御ソフトウェアを用意することなく、外部機器から携帯電話機に対して各種データの設定を行ったり編集や閲覧を行ったりすることができるようにする。  携帯電話機は、無線通信機能とＷＥＢブラウザ機能とを搭載している。パソコンから無線通信を経由して携帯電話機の無線通信機能にアクセスすると、携帯電話機のＷＥＢブラウザ機能が起動してブラウザ画面にメニューが表示される。これによって、パソコンからブラウザ画面に表示されたメニューを選択表示させて、所望の情報を設定変更したり編集したりすることができる。また、ブラウザ画面に表示されたメニューをパソコンから閲覧することもできる。
2010110188.tif 000002
【特許請求の範囲】
【請求項１】
無線通信機能とＷＥＢブラウザ機能とを搭載した携帯電話機と、
無線通信機能を経由して前記携帯電話機にアクセスし、前記ＷＥＢブラウザ機能を起動させて、前記携帯電話機のブラウザ画面に表示された情報の制御を行う外部機器と、
を備えてなることを特徴とする携帯電話制御システム。
【請求項２】
前記外部機器は、前記ブラウザ画面に表示された情報を選択表示させることを特徴とする請求項１記載の携帯電話制御システム。
【請求項３】
前記外部機器は、前記ブラウザ画面に選択表示された情報の設定変更を行うことを特徴とする請求項２記載の携帯電話制御システム。
【請求項４】
前記外部機器は、前記ブラウザ画面に選択表示された情報の編集を行うことを特徴とする請求項２記載の携帯電話制御システム。
【請求項５】
前記無線通信機能は、ＷＬＡＮであることを特徴とする請求項１乃至４のいずれか一に記載の携帯電話制御システム。
【請求項６】
前記外部機器は、パーソナルコンピュータであることを特徴とする請求項１乃至５のいずれか一に記載の携帯電話制御システム。
【請求項７】
無線通信機能とＷＥＢブラウザ機能とを搭載し、外部機器から無線通信機能を経由してアクセスされた前記ＷＥＢブラウザ機能を起動させる構成を有することを特徴とするＷＬＡＮ搭載の携帯電話機。
【請求項８】
前記ＷＥＢブラウザ機能が起動した後に、ブラウザ画面に表示された情報が前記外部機器によって制御されることを特徴とする請求項７記載の携帯電話機。
【請求項９】
前記ブラウザ画面に表示された情報は、前記外部機器によって選択表示されることを特徴とする請求項８記載の携帯電話機。
【請求項１０】
前記ブラウザ画面に選択表示された情報は、前記外部機器によって設定変更されることを特徴とする請求項９記載の携帯電話機。
【請求項１１】
前記ブラウザ画面に選択表示された情報は、前記外部機器によって編集されることを特徴とする請求項９記載の携帯電話機。
【請求項１２】
前記無線通信機能は、ＷＬＡＮであることを特徴とする請求項７乃至１１のいずれか一に記載の携帯電話機。
【請求項１３】
外部コンピュータが、無線通信機能とＷＥＢブラウザ機能とを搭載した携帯電話機にアクセスする第１のステップと、
前記携帯電話機が、前記ＷＥＢブラウザ機能を起動させてブラウザ画面に情報を表示させる第２のステップと、
前記外部コンピュータが、ブラウザ画面に表示された情報を制御する第３のステップとを含むことを特徴とする携帯電話機の操作方法。
【請求項１４】
前記第３のステップにおいて、前記外部コンピュータは、前記ブラウザ画面に表示された情報を選択表示させることを特徴とする請求項１３記載の携帯電話機の操作方法。
【請求項１５】
前記第３のステップにおいて、前記外部コンピュータは、前記ブラウザ画面に選択表示された情報の設定変更を行うことを特徴とする請求項１４記載の携帯電話機の操作方法。
【請求項１６】
前記第３のステップにおいて、前記外部コンピュータは、前記ブラウザ画面に選択表示された情報の編集を行うことを特徴とする請求項１４記載の携帯電話機の操作方法。
【請求項１７】
前記無線通信機能が、ＷＬＡＮ機能であることを特徴とする請求項１３乃至１６のいずれか一に記載の携帯電話機の操作方法。
【発明の詳細な説明】
【技術分野】
【０００１】
この発明は、外部機器から携帯電話機等の通信端末を遠隔操作する携帯電話制御システムに関する。
【背景技術】
【０００２】
一般的な携帯電話機は、その携帯電話機上で操作を実行することにより、各種の設定、格納されているデータの追加、削除、編集等を行うことができる。また、接続ケーブルを用いて携帯電話機とパーソナルコンピュータ（以下、パソコンという）とを接続して、そのパソコンにソフトウェアをインストールして携帯電話機能を設定し、パソコンから携帯電話機の格納データの追加、削除、編集等を行うこともできる。
例えば、携帯端末とパソコンとをケーブルで接続し、その携帯端末内の画像データや音楽データ等をパソコンから閲覧したり編集したりできる技術が開示されている（特許文献１参照）。また、パソコン上のブラウザを使用して携帯端末へ設定情報をメール送信し、その携帯端末に対して各種設定を行う技術も開示されている（例えば、特許文献２参照）。さらに、管理者側の管理端末と利用者側の携帯端末とをインターネットを介して接続して、管理端末から携帯端末へ各種設定を行う技術も開示されている（例えば、特許文献３参照）。
【先行技術文献】
【特許文献】
【０００３】
【特許文献１】特開２００４−２０８０５２号公報
【特許文献２】特開２００４−２９７５２６号公報
【特許文献３】特開２００８−１８６３０４号公報
【発明の開示】
【発明が解決しようとする課題】
【０００４】
しかしながら、前記特許文献１に開示された技術では携帯電話の制御ソフトウェアをインストールしたパソコンを用意し、そのパソコンから各種の制御を行わなければならない。つまり、携帯電話上のメモリをパソコンからアクセスして携帯電話を制御するための専用のソフトをパソコン上にインストールする必要が有るので、その手間が煩雑という問題点があった。
さらに、前記特許文献２の技術は、パソコンと携帯端末との間に設定サーバを介する必要がある。また、前記特許文献３の技術は、管理の為の特殊な機材或いは専用の制御ソフトウェア等を別途用意する必要があるという問題点があった。
この発明は、上述の事情に鑑みてなされたもので、専用の制御ソフトウェアを用意することなく、外部機器から携帯電話機に対して各種データの設定を行ったり編集や閲覧を行ったりすることができる携帯電話制御システムを提供することを目的としている。
【課題を解決するための手段】
【０００５】
上記目的を達成するために、本発明の携帯電話制御システムは、無線通信機能とＷＥＢブラウザ機能とを搭載した携帯電話機と、無線通信機能を経由して携帯電話機にアクセスし、ＷＥＢブラウザ機能を起動させて携帯電話機のブラウザ画面に表示された情報の制御を行う外部機器とを備えている。
また本発明の携帯電話機は、無線通信機能とＷＥＢブラウザ機能とを搭載し、外部機器から無線通信を経由してアクセスされた前記ＷＥＢブラウザ機能を起動させる構成を有する。
また本発明の携帯電話機の操作方法は、外部コンピュータが、無線通信機能とＷＥＢブラウザ機能とを搭載した携帯電話機にアクセスする第１のステップと、
前記携帯電話機が、前記ＷＥＢブラウザ機能を起動させてブラウザ画面に情報を表示させる第２のステップと、
前記外部コンピュータが、ブラウザ画面に表示された情報を制御する第３のステップとを含む。
【発明の効果】
【０００６】
この発明の構成によれば、専用の制御ソフトウェアを用意することなく、外部機器から無線通信機能経由で、携帯電話機内の情報を外部機器から閲覧することができる。また、必要に応じて外部機器からメニューの変更や編集を行うこともできる。
【図面の簡単な説明】
【０００７】
【図１】この発明の第１の実施形態である携帯電話制御システムの構成を示すブロック図である。
【図２】この発明の第１の実施形態である携帯電話制御システムを構成する携帯電話機の内部構成を示すブロック図である。
【図３】この発明の第１の実施形態である携帯電話機のＷＥＢブラウザ機能が表示するＷＥＢブラウザ画面の一例を示す図である。
【図４】この発明の第２の実施形態である携帯電話制御システムの構成を示すブロック図である。
【発明を実施するための最良の形態】
【０００８】
この発明の携帯電話制御システムは、ＷＬＡＮ（Ｗｉｒｅｌｅｓｓ  Ｌｏｃａｌ  Ａｒｅａ  Ｎｅｔｗｏｒｋ：無線ＬＡＮ）機能とＷＥＢブラウザ機能を搭載した携帯電話機を用い、ＷＬＡＮからＷＥＢブラウザ機能を介して、携帯電話機内の電話機能の設定を行うことが出来る。また、この発明の携帯電話制御システムは、携帯電話機に格納されているデータを追加、削除、編集することができるように構成されている。
言い換えると、ＷＬＡＮ機能とＷＥＢブラウザ機能を搭載した携帯電話機を用い、パソコンからＷＬＡＮを経由してその携帯電話機にアクセスできるようにする。これによって、携帯電話機内の設定情報やメモリの格納情報をＷＥＢブラウザ上に表示させることができると共に、外部機器のパソコンからＷＥＢブラウザに設定した内容を携帯電話機に反映させることができる。
（第１の実施形態）
以下、図面を参照して、この発明の第１の実施形態について詳細に説明する。図１は、この発明の第１の実施形態である携帯電話制御システムの構成を示すブロック図である。本実施形態の携帯電話制御システム１０は、パソコン１１とＷＬＡＮルータ１２と携帯電話機１３とを含む。ここで、パソコン１１はＷＬＡＮ１４に接続された外部機器としてのパソコン、ＷＬＡＮルータ１２はＷＬＡＮ１４の中継機器としてのＷＬＡＮルータである。また、携帯電話機１３は、ＷＬＡＮ機能とＷＥＢブラウザ機能とを搭載した携帯電話機、ＷＬＡＮ１４はこれらの各要素を接続するＷＬＡＮである。
次に、上記構成の携帯電話制御システム１０の動作について概略的に説明する。パソコン１１とＷＬＡＮルータ１２はＷＬＡＮ１４によってネットワークに接続されている。また、携帯電話機１３とＷＬＡＮルータ１２もＷＬＡＮ１４によってネットワークに接続されている。したがって、パソコン１１は、ＷＬＡＮ１４経由でＷＬＡＮルータ１２を介して携帯電話機１３にアクセスし、その携帯電話機１３を制御することができる。
図２は、図１に示す携帯電話機１３の内部構成を示すブロック図である。この携帯電話機１３は、制御プロセッサであるＣＰＵ（Ｃｅｎｔｒａｌ  Ｐｒｏｃｅｓｓｉｎｇ  Ｕｎｉｔ）２１、ＷＬＡＮの機能を実現させるＷＬＡＮ回路２２とで構成されている。更にこの携帯電話機１３は、ＷＥＢブラウザ機能を有するＷＥＢブラウザプログラム２３、携帯電話機１３の制御・設定を行う制御回路２４、及び各種データを格納するデータメモリ２５を備えて構成されている。なお、ＷＥＢブラウザプログラム２３は外部のパソコンからＷＬＡＮ経由でアクセスがあったときに起動し、外部のパソコンとの間で、携帯電話の設定画面や設定情報等のデータの送受を行う機能を有している。これにより携帯電話機及び外部のパソコンのＷＥＢブラウザ画面に携帯電話機の設定画面を表示させ、設定情報の操作を可能とする機能を有している。
図２に示す携帯電話機１３の各構成要素の機能をさらに詳しく説明する。ＣＰＵ２１は携帯電話機１３内の各種制御を行うためのプロセッサである。ＷＬＡＮ回路２２は、パソコン１１と携帯電話機１３の間のローカルエリアで無線通信によってデータのやりとりを行う機能を有している。ＷＥＢブラウザプログラム２３は、パソコン１１がＷＬＡＮ１４経由で携帯電話機１３にアクセスしてきたとき起動して、携帯電話機１３及びパソコン１１のＷＥＢブラウザ画面に携帯電話機の設定画面を表示させる。つまり、パソコン１１から携帯電話機１３にアクセスしたときに、ＷＥＢブラウザプログラム２３によってパソコン１１から携帯電話機１３のデータ等が見える状態となる。
制御回路２４は、ＷＬＡＮ回路２２を搭載した携帯電話機１３の各種設定を行う機能を有している。データメモリ２５は、携帯電話機１３の電話帳、メモ帳、スケジュール機能等の各種データを格納している。また、ＷＥＢブラウザプログラム２３もこのデータメモリ２５に格納されている。
次に、図１、図２を参照しながら携帯電話機１３の動作について説明する。まず、パソコン１１は、ＷＬＡＮ１４を経由して、ＷＬＡＮルータ１２を介して携帯電話機１３にアクセスする。携帯電話機１３のＷＬＡＮ回路２２がパソコン１１からのアクセス情報を受信すると、携帯電話機１３はＷＥＢブラウザプログラム２３を起動させる。
ＷＥＢブラウザプログラム２３によって、携帯電話機１３内の設定情報やメモリの格納情報等のデータが携帯電話機１３のＷＥＢブラウザ画面に表示される。同時に、ＷＥＢブラウザプログラム２３はＷＬＡＮ１４経由で設定情報やメモリの格納情報等のデータをパソコン１１に送信する。これによって、パソコン１１の画面上には携帯電話機１３内の設定情報やメモリの格納情報等のデータが表示される。
一方、外部機器であるパソコン１１から携帯電話機１３に送信された設定内容がＷＥＢブラウザプログラム２３によって携帯電話機１３に反映される。
つまり、パソコン１１がＷＬＡＮ１４経由で携帯電話機１３にアクセスしたときは、パソコン１１にて携帯電話機１３内の設定情報やメモリの格納情報等のデータが見え、かつ操作できる状態となる。
また、制御回路２４が携帯電話機１３の各種設定を行うと、その設定情報は、携帯電話機１３のＷＥＢブラウザプログラム２３を通してＷＬＡＮ１４経由でパソコン１１へ出力されるので、携帯電話機１３の設定情報はパソコン１１から見える状態となる。また、携帯電話機１３のデータメモリ２５には電話帳、メモ帳、スケジュール機能等の各種データが格納情報として蓄積されている。これらの格納情報もＷＥＢブラウザプログラム２３を通して、ＷＬＡＮ１４経由でパソコン１１へ出力できるようになっている。したがって、携帯電話機１３のデータメモリ２５に格納されている格納情報もパソコン１１から閲覧することができる。
図３は、図２に示す携帯電話機１３のＷＥＢブラウザプログラム２３が表示するＷＥＢブラウザ画面の一例を示す図である。パソコン１１からＷＬＡＮ１４経由で携帯電話機１３にアクセスすると、携帯電話機１３のＷＥＢブラウザプログラム２３が立上る。それによって、携帯電話機１３及びパソコン１１のＷＥＢブラウザ画面上に図３に示すようなメニューが表示される。パソコン１１からはＷＥＢブラウザ画面を通じて設定情報、例えば、図３に示すような、各種設定、データＢＯＸ、電話帳、ユーザデータ等のメニューを閲覧することができる。
以上説明したように、この実施形態によれば、パソコン１１に標準的に搭載されているＷＥＢブラウザを用いて携帯電話機１３へアクセスすることにより、携帯電話機内の情報をパソコン１１で閲覧することができる。
また、必要に応じて、パソコン１１から携帯電話機１３のメニューの変更や編集を行うこともできる。一般的なパソコンにはＷＥＢブラウザ機能が標準的に搭載されているので、編集ソフト等をインストールする手間を要さずに、ＷＬＡＮ機能を搭載した携帯電話機に対して各種の設定や編集を行うことが可能となる。
（第２の実施形態）
次に、第２の実施形態について説明する。
図４は、この発明の第２の実施形態である携帯電話制御システムの構成を示すブロック図である。第２の実施形態の携帯電話制御システムは、携帯電話機４２を制御する外部機器４１と、ＷＬＡＮ機能４３とＷＥＢブラウザ機能４４とを搭載した携帯電話機４２と、を有している。
この実施形態によれば、外部機器４１からＷＬＡＮ４３経由で携帯電話機４２へアクセスすると、ＷＥＢブラウザ機能４４が起動する。そして、携帯電話機４２及び外部機器４１のＷＥＢブラウザ画面上に図３に示すようなメニューが表示される。そのメニューには、例えば、携帯電話機４２内の設定の変更、電話帳の編集等のメニューが表示される。そして、このメニューを選択して行くと各種の設定画面や編集画面に切り替わって、携帯電話機内の情報を外部機器４１で閲覧することができる。
この様にして、この実施形態によれば、専用の制御ソフトウェアを用意することなく、ＷＥＢブラウザ機能が搭載された外部機器から携帯電話機に対して各種データの設定を行ったり編集や閲覧を行ったりすることができる。
なお、この発明の趣旨を逸脱しない範囲の設計の変更等があってもそれらはこの発明に含まれる。例えば、外部機器がＷＬＡＮ機能を搭載した第２の携帯電話機であって、その第２の携帯電話機からＷＬＡＮ機能を搭載した第１の携帯電話機にアクセスして、第１の携帯電話機の情報を設定、編集、削除することもできる。
（第３の実施形態）
この発明の第３の実施形態は、携帯電話制御システムに係り、ＷＬＡＮ機能とＷＥＢブラウザ機能とを搭載した携帯電話機と、ＷＬＡＮを経由して携帯電話機にアクセスし、ＷＥＢブラウザ機能を起動させて携帯電話機のブラウザ画面に表示された情報の制御を行う外部機器とを備えている。
（第４の実施形態）
この発明の第４の実施形態は、携帯電話機に係り、ＷＬＡＮ機能とＷＥＢブラウザ機能とを搭載し、外部機器からＷＬＡＮを経由してアクセスされたＷＥＢブラウザ機能を起動させる。
（第５の実施形態）
この発明の第５の実施形態は、携帯電話機の操作方法に係り、パーソナルコンピュータが、ＷＬＡＮ機能とＷＥＢブラウザ機能とを搭載した携帯電話機にアクセスする第１のステップと、携帯電話機が、ＷＥＢブラウザ機能を起動させてブラウザ画面に情報を表示させる第２のステップと、パーソナルコンピュータが、ブラウザ画面に表示された情報を制御する第３のステップとを含む。
上記第１乃至第５の実施形態は、一般的な携帯電話機上で各種の操作を行う場合は、その携帯電話機の限られた画面サイズと限られたキーボードで操作を行うため、操作が煩わしく、かつ操作に時間がかかってしまっていた、という課題をも解決することができる。
以上、実施形態を参照して本願発明を説明したが、本願発明は上記実施形態に限定されものではない。本願発明の構成や詳細には、本願発明のスコープ内で当業者が理解し得る様々な変更をすることができる
この出願は、２００９年３月２６日に出願された日本出願特願２００９−０７７８５３を基礎とする優先権を主張し、その開示の全てをここに取り込む。
【産業上の利用可能性】
【０００９】
この発明の携帯電話制御システムは、専用の制御ソフトウェアを用意することなく、パソコンからＷＬＡＮを経由して携帯電話機の情報を設定変更したり閲覧したりすることができるので、携帯電話機と自宅やオフィスのパソコンとの間で情報のやりとりを行う場合に有効に利用することができる。
【符号の説明】
【００１０】
１０  携帯電話制御システム
１１  パソコン（外部コンピュータ）
１２  ＷＬＡＮルータ
１３  携帯電話機
１４  ＷＬＡＮ
２１  ＣＰＵ
２２  ＷＬＡＮ回路
２３  ＷＥＢブラウザプログラム
２４  制御回路
２５  データメモリ
【図１】
2010110188.tif 000003
【図２】
2010110188.tif 000004
【図３】
2010110188.tif 000005
【図４】
2010110188.tif 000006
【国際調査報告】
2010110188.tif 000007
2010110188.tif 000008
2010110188.tif 000009
2010110188.tif 000010